(57)【要約】【課題】はんだバンプを用いてＦＰＣに実装される半導体装置において、ＦＰＣの可動部や屈曲された部分に実装することを可能にする。【解決手段】一面に複数の電極４を配してなる半導体基板２と、半導体基板２の一面２ａを覆うように配され、かつ複数の電極４が露呈するように複数の開口部３ｂを有する絶縁層３と、一端部が複数の電極４と電気的に接続された再配線層５と、再配線層５と電気的に接続された複数のパッド６と、複数のパッド６の一面に載置された複数のはんだバンプ７と、を備え、複数のパッド６を載置する絶縁層の一面３ａが、半導体基板２の一面に平行な任意の方向から見た断面が凹円弧状になるように形成されていることを特徴とする半導体装置を提供する。【選択図】図２
2012119387.tif 000002
【特許請求の範囲】
【請求項１】
一面に複数の電極を配してなる半導体基板と、
前記半導体基板の一面を覆うように配され、かつ前記複数の電極が露呈するように複数の開口部を有する絶縁層と、
前記絶縁層上に設けられ、前記複数の開口部を通して一端部が前記複数の電極と電気的に接続された再配線層と、
前記再配線層と電気的に接続された複数のパッドと、
前記複数のパッドの一面に載置された複数のはんだバンプと、を備え、
前記複数のパッドを載置する前記絶縁層の一面は、前記半導体基板の一面に平行な任意の方向から見た断面が凹円弧状になるように形成されていることを特徴とする半導体装置。
【請求項２】
一面に複数の電極を配してなる半導体基板と、
前記半導体基板の一面を覆うように配され、かつ前記複数の電極が露呈するように複数の開口部を有する絶縁層と、
前記絶縁層上に設けられ、前記複数の開口部を通して一端部が前記複数の電極と電気的に接続された再配線層と、
前記再配線層と電気的に接続された複数のパッドと、
前記複数のパッドの一面に載置された複数のはんだバンプと、を備え、
前記複数のパッドを載置する前記絶縁層の一面は、前記半導体基板の一面に平行な任意の方向から見た断面が凸円弧状になるように形成されていることを特徴とする半導体装置。
【請求項３】
一面に複数の電極を配してなる半導体基板の上に、前記複数の電極が露呈するように複数の開口部を有する絶縁層を形成する工程と、
前記絶縁層の上に、前記複数の開口部を通して前記複数の電極と電気的に接続された再配線層を形成するとともに、該再配線層と電気的に接続された複数のパッドを形成する工程と、
前記複数のパッドの一面上に複数のはんだバンプを形成する工程と、を備える半導体装置の製造方法において、
前記絶縁層を形成する工程は、
前記複数のパッドを載置する前記絶縁層の一面が、前記半導体基板の一面に平行な任意の方向から見た断面が凹円弧状又は凸円弧状になるように、前記絶縁層を形成することを特徴とする半導体装置の製造方法。
【請求項４】
前記絶縁層は、前記半導体基板上に塗布された樹脂を金型を用いて成型することによって形成されることを特徴とする請求項３に記載の半導体装置の製造方法。
【請求項５】
前記樹脂は、熱硬化型樹脂であることを特徴とする請求項４に記載の半導体装置の製造方法。
【請求項６】
前記樹脂は、光硬化型樹脂であることを特徴とする請求項４に記載の半導体装置の製造方法。
【請求項７】
前記絶縁層は、絶縁材料を含んだ液滴をインクジェット法を用いて吐出し積層することにより形成されることを特徴とする請求項３に記載の半導体装置の製造方法。
【請求項８】
請求項１又は２に記載の半導体装置と該半導体装置が実装されるフレキシブルプリント配線板とを備えたことを特徴とする電子装置。
【発明の詳細な説明】
【技術分野】
【０００１】
本発明は、半導体装置及びその製造方法並びに電子装置に関する。より詳細には、フレキシブルプリント配線板（ＦＰＣ）等の実装基板と相互接続するためにはんだバンプを備えた構造の半導体装置において、該半導体装置をＦＰＣに表面実装した際の接続信頼性を向上させた半導体装置及びその製造方法並びに電子装置に関する。
【背景技術】
【０００２】
近年の電子機器の小型・薄型、軽量、高機能化に伴い、プリント配線板等の実装基板上への電子部品の実装密度向上に対する要求が非常に強くなっている。中でも、半導体装置の実装形態はリードフレームと呼ばれる外部電極をパッケージ外形に沿って一次元的に配置したＱＦＰ（Quad Flat Package）から、はんだバンプと呼ばれる球状の外部電極を平坦な面上に二次元的に配列させたＢＧＡ（Ball Grid Array）に変わってきている。中でも、ＣＳＰ（Chip Scale Package）や、ＷＬＰ（Wafer level Package）といった、より小型低背化が実現できる半導体装置はその採用が活発化している。
【０００３】
はんだバンプを用いて、半導体装置を実装基板に表面実装する方法としては、デジタルＩＣ等に多用されるワイヤボンド接続と比較して接続部を短縮できる、フリップチップ実装がある（例えば、特許文献１参照）。
この実装方法は、接続部を短縮することにより、電気的特性が良く、小型かつ薄型な半導体装置を必要とする携帯機器の回路や、電気的特性が重視される高周波回路などに適している。
【０００４】
一方、電子部品が実装されるプリント配線板については、従来のリジッドプリント配線板から、より薄型・軽量化に適したフレキシブルプリント配線板（Flexible printed circuits、ＦＰＣ）が積極的に採用されている。ＦＰＣは、柔軟性があり、大きく変形させることが可能なことから、二つ折り型携帯電話機のヒンジ部をはじめとする可動部に適用できるだけでなく、電子機器の筐体に合わせて屈曲させたり折り畳んだりすることで、三次元的に配置することができる。このため携帯機器内部の限られた空間を無駄なく生かすことができる。
【先行技術文献】
【特許文献】
【０００５】
【特許文献１】特開平９−２６０５８３号公報
【発明の概要】
【発明が解決しようとする課題】
【０００６】
しかしながら、半導体部品をはじめとする電子部品は、ＦＰＣの可動部や屈曲された部分には表面実装することができず、平滑な状態が保持される領域に限られていた。これはＦＰＣの電子部品を実装した部分を屈曲させると、外部電極などに過度な応力が加わるため、電気抵抗が大きくなったり断線したりするからである。このように、従来は電子部品をＦＰＣの一部分だけにしか実装することができず、実装の高密度化が阻害されてきた。
【０００７】
実装基板としてのＦＰＣに対して従来の半導体装置を搭載する場合の課題について、図を参照して説明する。図８〜図１０は一面に接続部５１を有するＦＰＣ５０に対して、はんだバンプ１０７を有するＢＧＡパッケージ構成の半導体装置１０１を、フリップチップ実装する様子を示す断面図である。以下、ＦＰＣ５０に半導体装置１０１を搭載する工程の３つのケースについて説明する。
なお、半導体装置１０１を搭載するＦＰＣ５０の接続部５１上には、フラックスやはんだペーストを塗布してあるが、図８（ａ）、図９（ａ）、図１０（ａ）では図示を省略してある。
【０００８】
図８は、平坦な状態のＦＰＣ５０に対して半導体装置１０１を搭載し、リフロー実装した後に、ＦＰＣ５０を所定の形状に屈曲させる工程（工程フローＡ）を示す図である。図８（ａ）は平坦な状態のＦＰＣ５０に半導体装置１０１を搭載した様子を、（ｂ）はＦＰＣ５０が平坦な状態でリフローすることではんだバンプ１０７と接続部５１とを電気的に接続させた様子を、（ｃ）はＦＰＣ５０を曲げた様子を示している。
このような場合、ＦＰＣ５０を曲げることによって、一部のはんだバンプ１０７に大きな引張り応力が加わるため、はんだバンプ１０７が破断しやすいという問題がある。
【０００９】
図９は、平坦な状態のＦＰＣ５０に対して半導体装置１０１を搭載し、ＦＰＣ５０を所定の形状に屈曲させた後に、リフロー実装する工程（工程フローＢ）を示す図である。図９（ａ）は平坦な状態のＦＰＣ５０に半導体装置１０１を搭載した様子を、（ｂ）はＦＰＣ５０を屈曲させた様子を、（ｃ）はリフロー実装させた様子を示している。
このような場合、ＦＰＣ５０を屈曲させることによって、一部のはんだバンプ１０７がＦＰＣ５０の接続部５１から離間してしまうため、リフロー実装してもはんだバンプ１０７と接続部５１を接合することができないという問題がある。
【００１０】
図１０は、予めＦＰＣ５０を所定の形状に屈曲させた状態で、半導体装置１０１を搭載する工程（工程フローＣ）を示す図である。図１０（ａ）はＦＰＣ５０を屈曲させた様子を、（ｂ）は屈曲させた状態のＦＰＣ５０に半導体装置１０１を搭載した様子を、（ｃ）はリフロー実装させた様子を示している。
この場合、一部のはんだバンプ１０７がＦＰＣ５０の接続部５１とは接触しないため、リフロー実装してもはんだバンプ１０７と接続部５１を接合できないという問題がある。
【００１１】
この発明は、このような事情を考慮してなされたもので、その目的は、はんだバンプを用いてＦＰＣに実装される半導体装置において、ＦＰＣの可動部や屈曲された部分に実装することを可能にする半導体装置を提供することにある。
【課題を解決するための手段】
【００１２】
上記課題に対し、本発明の以下の手段により解決を図る。
すなわち、本発明の請求項１に記載の半導体装置は、一面に複数の電極を配してなる半導体基板と、前記半導体基板の一面を覆うように配され、かつ前記複数の電極が露呈するように複数の開口部を有する絶縁層と、前記絶縁層上に設けられ、前記複数の開口部を通して一端部が前記複数の電極と電気的に接続された再配線層と、前記再配線層と電気的に接続された複数のパッドと、前記複数のパッドの一面に載置された複数のはんだバンプと、を備え、前記複数のパッドを載置する前記絶縁層の一面は、前記半導体基板の一面に平行な任意の方向から見た断面が凹円弧状になるように形成されていることを特徴とする。
【００１３】
また、本発明の請求項２に記載の半導体装置は、一面に複数の電極を配してなる半導体基板と、前記半導体基板の一面を覆うように配され、かつ前記複数の電極が露呈するように複数の開口部を有する絶縁層と、前記絶縁層上に設けられ、前記複数の開口部を通して一端部が前記複数の電極と電気的に接続された再配線層と、前記再配線層と電気的に接続された複数のパッドと、前記複数のパッドの一面に載置された複数のはんだバンプと、を備え、前記複数のパッドを載置する前記絶縁層の一面は、前記半導体基板の一面に平行な任意の方向から見た断面が凸円弧状になるように形成されていることを特徴とする。
【００１４】
また、本発明の請求項３に記載の半導体装置の製造方法は、一面に複数の電極を配してなる半導体基板の上に、前記複数の電極が露呈するように複数の開口部を有する絶縁層を形成する工程と、前記絶縁層の上に、前記複数の開口部を通して前記複数の電極と電気的に接続された再配線層を形成するとともに、該再配線層と電気的に接続された複数のパッドを形成する工程と、前記複数のパッドの一面上に複数のはんだバンプを形成する工程と、を備える半導体装置の製造方法において、前記絶縁層を形成する工程は、前記複数のパッドを載置する前記絶縁層の一面が、前記半導体基板の一面に平行な任意の方向から見た断面が凹円弧状または凸円弧状になるように、前記絶縁層を形成することを特徴とする。
【００１５】
上記製造方法において、前記絶縁層は、前記半導体基板上に塗布された樹脂を金型を用いて成型することによって形成されることが好ましい。
また、上記製造方法において、前記樹脂は、熱硬化型樹脂であることが好ましい。
また、上記製造方法において、前記樹脂は、光硬化型樹脂であってもよい。
また、上記製造方法において、前記絶縁層は、絶縁材料を含んだ液滴をインクジェット法を用いて吐出し積層することにより形成されてもよい。
また、本発明は、請求項１又は２に記載の半導体装置と該半導体装置が実装されるフレキシブルプリント配線板とを備えたことを特徴とする電子装置を提供する。
【発明の効果】
【００１６】
本発明の請求項１に係る半導体装置は、複数のパッドを載置する絶縁層の一面が、半導体基板の一面に平行な任意の方向から見た断面が凹円弧状になるように形成されている。つまり、本発明の半導体装置は、該半導体装置をフレキシブルプリント配線板に実装した際、フレキシブルプリント配線板が上に凸方向に屈曲された状態において、半導体装置が安定な形状となるように形成されている。よって、フレキシブルプリント配線板と半導体装置とを接続するはんだバンプに引張りの応力が加わらないため、はんだバンプは破断しにくくなり、フレキシブルプリント配線板に半導体装置を搭載した際の接続信頼性が高まる。
【００１７】
本発明の請求項２に係る半導体装置は、複数のパッドを載置する絶縁層の一面が、半導体基板の一面に平行な任意の方向から見た断面が凸円弧状になるように形成されている。つまり、本発明の半導体装置は、該半導体装置をフレキシブルプリント配線板に実装した際、フレキシブルプリント配線板が下に凸方向に屈曲された状態において、半導体装置が安定な形状となるように形成されている。よって、フレキシブルプリント配線板と半導体装置とを接続するはんだバンプに引張りの応力が加わらないため、はんだバンプは破断しにくくなり、フレキシブルプリント配線板に半導体装置を搭載した際の接続信頼性が高まる。
【００１８】
本発明の請求項３に係る半導体装置の製造方法は、複数のパッドを載置する絶縁層を形成する工程において、絶縁層の一面が半導体基板の一面に平行な任意の方向から見た断面が凹円弧状または凸円弧状になるように形成されることを特徴としている。つまり、半導体装置をフレキシブルプリント配線板に実装した際、フレキシブルプリント配線板が屈曲された状態において、半導体装置が安定な形状となるような半導体装置を製造することができる。よって、本製造方法によって製造された半導体装置は、フレキシブルプリント配線板と半導体装置とを接続するはんだバンプに引張りの応力が加わらないため、はんだバンプは破断しにくくなり、フレキシブルプリント配線板に半導体装置を搭載した際の接続信頼性が高まる。
【００１９】
本発明の請求項８に係る電子部品は、上述した半導体装置とフレキシブルプリント配線板を用いたことにより、フレキシブルプリント配線板が屈曲された状態において、半導体装置が安定な形状となるように構成されている。よって、フレキシブルプリント配線板と半導体装置とを接続するはんだバンプに引張りの応力が加わらないため、はんだバンプは破断しにくくなり、接続信頼性が高い電子部品を提供することが可能となる。また、実装の高密度化が実現でき、電子部品の高機能化が可能となる。
【図面の簡単な説明】
【００２０】
【図１】本発明の第一実施形態に係る半導体装置の平面図である。
【図２】図１に示す半導体装置のＡ−Ａ線に沿う断面図である。
【図３】図１に示す半導体装置の斜視図である。
【図４】はんだバンプと電極を示し、（ａ）ははんだバンプが電極から離れた位置に、（ｂ）ははんだバンプが電極の上方にあることを示す断面図である。
【図５】本発明の第一実施形態に係る半導体装置をＦＰＣにフリップチップ実装した状態を示す断面図である。
【図６】本発明の第二実施形態に係る半導体装置をＦＰＣにフリップチップ実装した状態を示す断面図である。
【図７】本発明に係る半導体装置の製造方法を順に示す断面図である。
【図８】従来の半導体装置をＦＰＣにフリップチップ実装する工程フローＡを順に示す概略図である。
【図９】従来の半導体装置をＦＰＣにフリップチップ実装する工程フローＢを順に示す概略図である。
【図１０】従来の半導体装置をＦＰＣにフリップチップ実装する工程フローＣを順に示す概略図である。
【発明を実施するための形態】
【００２１】
（第一実施形態）
以下、本発明の第一実施形態を図面を参照して詳細に説明する。図１、図２、及び図３は、本発明の半導体装置１の一例を示す図であり、図１は、本発明に係る第一実施形態の半導体装置の構造を全体的に説明する平面図であり、図２は、図１に示すＡ−Ａ線に沿う断面図、図３は半導体装置１の斜視図である。なお、後述する実施形態においては、本実施形態と同様の構成部分については同じ符号を用い、その説明は省略することとし、特に説明しない限り同じであるものとする。
【００２２】
本発明の半導体装置１は、集積回路（図示せず）を半導体基板２上に搭載し、ＦＰＣ５０（図５参照）に実装可能に構成したものである。ＦＰＣ５０との接続には、半導体装置１の上面にはんだによるボール状の電極（以下、はんだバンプと称する）を格子状に並べた、いわゆるＢＧＡ（Ball Grid Array）を採用している。
【００２３】
本発明の半導体装置１は、半導体基板２、該半導体基板２の上面を被覆する絶縁層３、該絶縁層３上に形成され、前記半導体基板２の入出力端子である電極４と再配線層５を介して電気的に接続されたパッド６、該パッド６上に形成されたはんだバンプ７、及び該はんだバンプ７を除いて半導体基板２上を封止するように形成された封止樹脂層８とから構成される。
【００２４】
本発明の半導体装置１は、格子状に配置されたはんだバンプ７が屈曲されたＦＰＣ５０上に格子状に形成された複数の接続部に対応するように、複数のはんだバンプ７によって形成される面が円弧を描くように配置されていることを特徴としている。
はんだバンプ７の配置は、はんだバンプ７が載置されているパッド６の配置、及び該パッド６が配置される絶縁層３の形状に依存する。よって、本発明の半導体装置１は、パッド６が設けられている絶縁層３の一面３ａの表面形状が凹円弧状に形成されていることを特徴としている（凹円弧形状の詳細については後述する）。
【００２５】
なお、半導体装置１の構成要素である電極４は、半導体基板２上に複数配されており、それぞれ異なるパッド６に再配線層５を介して電気的に接続されている。図２においては、電極４とパッド６との接続に関する図示は、図２の一部に代表して示してあるのみであり、他の電極４（及び再配線層５）は省略している。つまり、図２は、本発明の特徴である、凹円弧状の絶縁層３の一面３ａの形状を明確にするように描かれたものである。
【００２６】
また、パッド６及びはんだバンプ７は、図１に示した例では、矩形の半導体基板２に３×３のマトリックス状に９個形成されているが、これに限ることは無く、はんだバンプ７の個数、配置は半導体装置１に搭載される集積回路の仕様などに基づいて適宜変更可能である。
【００２７】
本発明の第一実施形態に係る半導体装置１の絶縁層３の一面３ａは、半導体基板２の側方から見た断面形状が絶縁層３の中央部の高さがより低くなるような凹円弧状に形成されている。
円弧の曲率半径は、搭載されるＦＰＣ５０（図５参照）の曲げ半径や、半導体基板２のサイズ等に応じて適宜設定される。
【００２８】
また、谷部Ｖ（図３参照）の方向は、第一実施形態においては、図３に示すように、半導体基板２の一辺と平行とされているが、これに限ることはない。例えば、谷部Ｖが、半導体基板２の一面２ａを斜めに横切るように凹円弧面を形成してもよい。要するに、半導体装置１を構成するはんだバンプ７の三次元的な配置が、曲げられた状態のＦＰＣに沿うように配置されていればよい。
【００２９】
パッド６は、一定の厚みを有しており、その厚みは、２μｍ〜２０μｍであり、上述した絶縁層３の上に設けられている。また、パッド６は、搭載されるＦＰＣ５０の複数の接続部に対応する位置に形成されている。
【００３０】
なお、図４（ａ）に示すように、はんだバンプ７は、該はんだバンプ７と電気的に接続された電極４から離間した位置にある場合を想定している。つまり、ＦＰＣ５０（図５参照）の接続部と対応するような位置にパッド６を配置するために、パッド６は再配線層５によって所望の位置に再配置されている。
ただし、図４（ｂ）に示すように、はんだバンプ７Ｂが半導体基板２の電極４の直上に配置される場合は、再配線層を形成することなく電極４の直上にパッド６を形成し、はんだバンプ７Ｂを電気的に接続してもよい。
【００３１】
半導体装置１を構成する半導体基板２は、シリコンウエハなどの半導体ウエハでもよく、半導体ウエハをチップ寸法に切断（ダイシング）した半導体チップであってもよい。半導体基板２が半導体チップである場合は、まず、半導体ウエハの上に、各種半導体素子やＩＣなどを形成した後、チップ寸法に切断することで複数の半導体チップを得ることができる。
【００３２】
電極４は、半導体基板２上に形成されたＩＣ等の集積回路に電気的に接続される電極であり、例えば、Ａｌ、Ｃｕ、Ｃｒ、Ｔｉ、Ａｕ、Ｓｉのうち、少なくとも１つの元素を含む導体により構成されている。
【００３３】
絶縁層３は、半導体基板２の一面２ａを覆うように配され、電極４が露呈するように、その整合する位置に開口部３ｂ（図４参照）を有する。絶縁層３をなす材料としては、絶縁性が高く、耐熱性、耐薬品性があり、機械的強度が強く、難燃性に優れていることに加え、高周波数帯域での信号伝搬特性に優れた熱硬化型樹脂が好ましい。具体的には、ポリイミド樹脂やエポキシ樹脂、フェノール樹脂、シリコーン樹脂、フッ素樹脂、ポリベンゾオキサゾール樹脂、ポリフェニレンサルファイド樹脂、ベンゾシクロブテン樹脂などが好ましい。
上述したように、絶縁層３の一面３ａは、はんだバンプ７が凹円弧状に配置されるように、パッド６が載置される面が凹円弧状に形成されている。つまり、凹円弧状の面に応じて、その厚さが異なるように形成されている。
【００３４】
再配線層５は、電極４と電気的に接続されており、導電性に優れた材料から形成することが好ましい。また再配線層５は、電極４との密着性に優れるとともに、再配線層５を構成する元素が電極４や半導体基板２内に拡散しにくい材料を用いれば、さらに好ましい。例えば、再配線層５としては、Ｃｕ、Ａｌ、Ｎｉ、Ａｇ、Ｐｂ、Ｓｎ、Ａｕ、Ｃｏ、Ｃｒ、Ｔｉ、ＴｉＷ等の導体（各種の金属や合金等）が好適である。
【００３５】
パッド６は、再配線層５と連続して形成された、はんだバンプ７が搭載される領域である。よって、再配線層５と同じ材質とすることが好ましい。
はんだバンプ７は、ボイドの数が極めて少ない高密度のはんだボールにより構成される。はんだバンプ７は、鉛を含む共晶はんだ、高温はんだ、あるいは鉛を含まない鉛フリーはんだ等を用いることができる。
【００３６】
封止樹脂層８は、電極４、絶縁層３、再配線層５を保護するためのものであり、例えば、絶縁層３と同様の材質により構成され、その厚みは、５μｍ〜５０μｍ程度である。
【００３７】
図５は、図１に示した半導体装置１を、屈曲させた状態のＦＰＣ５０にフリップチップ実装した状態を示す図である。
上述したように、半導体装置１を構成する絶縁層３の凹円弧形状は、屈曲されたＦＰＣ５０の形状に依存して適宜定められる。本実施形態においては、屈曲されたＦＰＣ５０の曲率半径と、絶縁層３の曲率半径が略等しくなるように形成されている。
【００３８】
次に、本発明の半導体装置１をＦＰＣ５０にリフロー実装する方法について説明する。本発明の半導体装置１をＦＰＣ５０にリフロー実装するための工程フローは、以下に説明するような方法が好ましい。
【００３９】
最も好適な工程フローは、予めＦＰＣ５０を所定の形状に屈曲させた状態で、半導体装置１を搭載する方法である。このような方法であれば、搭載からリフロー実装まで、はんだバンプ７がＦＰＣ５０の接続部と常に接触しているので、リフローによる接合不良が少なくなる。
また、平坦な状態のＦＰＣ５０に対して半導体装置１を搭載し、ＦＰＣ５０を所定の形状に屈曲させた後に、リフロー実装する方法としてもよい。この方法では、搭載した直後は、大部分のはんだバンプ７とＦＰＣ５０の接続部とが接触していないものの、ＦＰＣ５０を屈曲させた段階で全てのはんだバンプ７とＦＰＣ５０の接続部とが接触状態となるため、最終的には安定して接合することが可能である。
【００４０】
一方、平坦な状態のＦＰＣ５０に対して半導体装置１を搭載し、リフロー実装した後に、ＦＰＣ５０を所定の形状に曲げる方法を採用することも可能である。この方法であると、搭載したときにはんだバンプ７の一部がＦＰＣ５０の接続部に接触しない可能性があるため、リフロー実装しても接合できない可能性がある。しかしながら、電子機器の製造の制約上、平坦な状態のＦＰＣ５０に本発明の半導体装置１を搭載する必要がある場合は、この方法を採用することも可能である。
【００４１】
本実施形態の半導体装置１は、ＦＰＣ５０が屈曲された状態において、半導体装置１が安定な形状となるように形成されているので、はんだバンプ７には、従来構造のような引張りの応力が加わっていない。つまり、はんだバンプ７にはＦＰＣ５０を屈曲させたことに起因する応力が加わらないため、はんだバンプ７は破断しにくくなり、その結果、ＦＰＣ５０に半導体装置１を搭載した際の接続信頼性が高まる。
【００４２】
また、本実施形態の半導体装置１は、はんだバンプ７を曲げた状態のＦＰＣに沿うように配置させるために、絶縁層３に厚さ分布を与えている。その一方で、パッド６及び再配線層５の厚さは均一にしているため、インピーダンスマッチングが容易である。
【００４３】
なお、本発明の半導体装置１を構成する絶縁層３の凹円弧面の曲率半径は、屈曲されたＦＰＣ５０の曲率半径と略等しい曲率半径にするとしたが、これに限ることはなく、屈曲された状態のＦＰＣ５０の曲率半径とは異なる曲率半径で形成されてもよい。例えば、屈曲されたＦＰＣ５０の曲率半径よりもやや大きな曲率半径、つまり屈曲されたＦＰＣ５０よりも平坦に近い曲率半径で形成してもよい。これによって、屈曲された状態ではなく、平坦な状態のＦＰＣ５０に、本発明の半導体装置１を搭載する場合、リフローによる実装が容易になる可能性がある。また、この曲率半径は、本発明の半導体装置１を平坦な状態のＦＰＣ５０と屈曲された状態のＦＰＣ５０の両方の形状に対応させる必要がある場合にも適している。
【００４４】
またＦＰＣ５０の可動部に実装する場合、本発明の半導体装置１を構成する絶縁層３の凹円弧面の曲率半径は、ＦＰＣ５０が可動することによって変わる曲率半径の範囲内にすることが好ましく、さらにはその平均値と略等しくすることがより好ましい。
【００４５】
（第二実施形態）
以下、本発明の第二実施形態を図面を参照して詳細に説明する。図６は、第一実施形態とは逆の方向に（下に凸の方向に）屈曲されたＦＰＣ５０に、第二実施形態に係る半導体装置１Ａがフリップチップ実装されていることを示す断面図である。
【００４６】
第二実施形態において第一実施形態と異なる点は、第一実施形態の半導体装置１が上に凸となるように屈曲されたＦＰＣ５０に対応した形状となっていることに対して、第二実施形態に係る半導体装置１Ａは、下に凸となるように屈曲されたＦＰＣ５０に対応した形状となっている点である。
図６を参照すれば明らかなように、第二実施形態に係る半導体装置１Ａは実装されるＦＰＣ５０が下に凸になるように屈曲される場合に採用することが好適である。半導体装置１Ａは、絶縁層３の形状を変更することによって製造することができる。
【００４７】
（第１の製造方法）
次に、本発明における半導体装置１の製造方法の一例について説明する。図７は、図１に示した半導体装置１の製造方法の一例を工程順に示す断面図である。また、以下に記載する工程（ａ）〜（ｆ）は図７（ａ）〜図７（ｆ）に対応する。
【００４８】
（ａ）絶縁層の塗布
まず、半導体ウエハ１０を用意する。該半導体ウエハ１０の一面１０ａにはＩＣ電極（図示せず）が配されている。
次いで、半導体ウエハ１０を覆うようにスピンコート法を用いてポリイミド樹脂からなる絶縁層３を塗布する。塗布方法としては、スピンコート法に限らず、キャスティング法、ディスペンス法等の塗布方法を適宜採用することができる。
【００４９】
（ｂ）絶縁層の成型
まず、ホットプレートでポリイミド樹脂からなる絶縁層３を加熱処理して乾燥させる。その後、所定の形状に加工した金型２０を、絶縁層３の樹脂が硬化しない温度で加熱しながら絶縁層３に押し当てて成型することで、厚さ分布を制御した絶縁層３を形成する。金型２０は、冷却した後に剥離除去した。
このようにして所定の形状に成型した後に、樹脂（絶縁層３）を加熱硬化させた。その後、ＵＶレーザーを用いて電極（図示せず）が露出するように穴あけ加工を行い、さらに酸素ガスによるプラズマ処理をすることでレーザー加工によって生じた樹脂残渣を除去した。
【００５０】
（ｃ）再配線層とパッドの形成
絶縁層３の上面に、Ｃｕからなる再配線層（図示せず）及びパッド６を形成する。再配線層及びパッド６の形成プロセスとしては、アディティブ法、セミアディティブ法、サブトラクティブ法などがあるが、配線幅あるいは配線間隔の最小値が１〜５０μｍの場合、セミアディティブ法がより好ましい。
【００５１】
まず、半導体ウエハ１０の全面にＴｉＷとＣｕの積層型薄膜をスパッタリングで形成する。ＴｉＷの代替として、ＴｉやＣｒを用いることも可能である。次に、フィルム状のレジストフィルムをラミネートし、フォトリソグラフィにてパターニングを行った。次に、電解めっきを行い、レジストの開口部（積層型薄膜が露出した部分）にＣｕを析出させる。次に、レジストを剥離し、積層型薄膜をエッチング液で除去した。再配線層及びパッド６をなす部分は導電性が高く、イオンマイグレーションが起きにくい部材が好ましい。
【００５２】
（ｄ）封止樹脂層の形成
絶縁層３あるいは再配線層の上に、スピンコート法を用いて、感光性を付与したポリイミド樹脂を塗布し、フォトリソグラフィにてパターニングをすることで封止樹脂層８を形成する。パターニングはパッド６が露呈されるように行う。
封止樹脂層８に用いる部材は、絶縁性が高く、吸湿性が小さく、耐環境性に優れた熱硬化型樹脂が好ましく、例えば、ポリイミド樹脂、フェノール樹脂、エポキシ樹脂、シリコーン樹脂、ポリベンゾオキサゾール樹脂、ベンゾシクロブテン樹脂などが好適である。
このとき、表面の凹凸に追従して均一に塗布できるような手法、例えば、スプレーコート法を用いることがより好ましい。
上述したような方法でパターン形成した後に、樹脂（封止樹脂層８）を硬化させる。
【００５３】
（ｅ）バンプの形成
パッド６の上に、予め球状に成型されたボールを搭載しリフローすることによって、はんだバンプ７を形成する。はんだバンプ７に用いる部材は、電気抵抗が低く、パッド６との接合が容易で、機械的特性に優れたものが好ましく、例えば、Ｓｎ、Ａｇ、Ｃｕ、Ａｇ、Ｐｂ、Ｂｉ、Ｚｎ、Ａｌ、Ａｕ、Ｉｎ、Ｎｉのうち少なくとも２種類を含むはんだが好適である。
【００５４】
（ｆ）切断（個片化）
半導体ウエハ１０のＩＣが形成されていない領域を高速回転するダイシングブレードで切断することで半導体装置１を作製した。
【００５５】
（第２の製造方法）
なお、上述した製造方法においては、絶縁層３を金型で成型した後に、熱硬化型樹脂を加熱硬化させることによって、絶縁層３を形成したが、熱硬化型樹脂の代替として、光硬化型の樹脂を用いてもよい。光硬化型樹脂を用いることによって、加工硬化の際に樹脂の流動性によってパターンが崩れることを防止することができ、絶縁層をより微細な形状に加工することができる。光硬化型樹脂としては、紫外線硬化型のエポキシアクリレート樹脂が好ましい。
【００５６】
光硬化型樹脂を用いて絶縁層３を形成する際は、まず、光硬化型樹脂をスクリーン印刷法によって半導体ウエハ１０に塗布し、所定の形状に加工した金型２０を押し当てた状態で所定の波長の光を照射して樹脂（絶縁層３）を硬化させることで厚さ分布を制御した絶縁層３を形成することができる。金型２０は、光照射後に剥離除去する。なお、金型２０を形成する材料としては、石英やガラスなどの透明性を有する材料を使用する。
光硬化型樹脂としては、上述した紫外線硬化型のエポキシアクリレート樹脂に限ることはなく、絶縁性が高く、高周波数帯域での信号伝搬特性に優れた樹脂であれば適宜採用することができる。例えば、ウレタンアクリレート、フェノールアクリレート、又はポリエステルアクリレート等が好適であり、樹脂を硬化させるために照射する光は可視光や赤外光であっても構わない。
また、光照射は、光硬化型樹脂の硬化の不十分な箇所がないよう、金型を除去した後に追加で光照射することも好適であり、追加で加熱処理することも好適である。この場合においては、樹脂はほぼ硬化しているので、加熱処理をしてもパターン崩れはほとんど発生しない。
【００５７】
上述したように、光硬化型樹脂を用いることによって、加熱処理に伴うパターン崩れを回避することが可能になることから、半導体ウエハ１０の電極が露出するような突起を設けた金型を使用することができる。この金型２０を絶縁層３に押し当てる際は、該突起が電極４上に位置されるように精度良く位置合わせできなければならない。
このような金型２０を用いることによって、紫外線レーザーによる穴空け加工を行う必要がなくなるため、生産性やコストの点で有利となる。ただし、電極の表面には樹脂の残渣が若干あることからプラズマ処理を行うことが好ましい。
【００５８】
また、最後にダイシングブレードで切断する領域に樹脂層（絶縁層３及び封止樹脂層８）が形成されないように、金型２０に突起を設けてもよい。金型２０に突起を設け、ダイシングブレードで切断する領域に樹脂層を形成しないことによって、個片化する際は半導体ウエハ１０を切断するだけでよくなるため、加工が容易となる。
【００５９】
（第３の製造方法）
また、熱硬化型樹脂の代替として、熱可塑型樹脂を用いてもよい。熱可塑型樹脂を用いることによって、熱硬化型樹脂を用いた場合の硬化時の体積収縮を回避し、寸法精度のよい制御を行うことができる。熱可塑型樹脂としては、フィルム状の液晶ポリマーが好ましい。
【００６０】
熱可塑型樹脂を用いて絶縁層を形成する際は、まず、半導体ウエハ１０上にフィルム状の液晶ポリマーをラミネートし、所定の形状に加工した金型を液晶ポリマーの融点付近で加熱しながら押し当てて成型することで、厚さ分布を制御した絶縁層を形成することができる。金型は、冷却後に剥離除去する。
なお、液晶ポリマーは、配向が無秩序になると、熱膨張率やヤング率等の特性が変化してしまい、所定の特性が得られなくなってしまう。このため、加熱し過ぎることは好ましくなく、また、冷却速度も可能な限り速くすることが好ましい。なお、熱可塑型樹脂として、ポリアミド樹脂や、ポリカーボネート樹脂を採用することもできる。
【００６１】
（第４の製造方法）
金型２０の代替として、インクジェット法を用いてもよい。インクジェット法を用いることによって、品種毎に金型を作製する必要がなくなる。
インクジェット法は、マスクレスであるだけでなく、オンデマンドで材料を含んだ液滴を吐出し積層するため、治具や材料のコストを削減することもできる。ただし、用いるインクは、スクリーン印刷やスピンコート等で用いるものよりも粘度を低くする必要があるため、溶媒の含有率が高くなってしまう。そのため、半導体基板２を加熱する、あるいは赤外線やレーザー光を照射するなどして溶媒を効率よく揮発させながら塗布することが必要である。インクジェット法で用いる材料は、上述した第１〜第３の製造方法で使用した材料のみならず、セラミックス等の無機系の絶縁材料も用いることができるなど、材料の選択性が広くなる。
【００６２】
（第５の製造方法）
第１の製造方法においては、絶縁層３となる樹脂を塗布した後、金型を樹脂に対して押し当てて成型したが、以下に説明するマイクロモールディング法を用いて絶縁層３を形成してもよい。
まず、絶縁層３となる樹脂を塗布することなく、半導体ウエハ１０に対して、所定の形状に加工した金型２０を位置合わせし、所定の高さで固定する。固定に際しては、金型２０と半導体ウエハ１０との間には隙間を絶縁層３の形状と対応するように位置（高さ）を定める。次いで、周囲を減圧した後、絶縁層３となる液状の樹脂を金型２０と半導体ウエハ１０との隙間に流し込む。そして、周囲を大気圧に戻すことによって液状の樹脂を隙間の隅々に充填する。さらに、この状態で加熱処理を施し、樹脂を硬化させ、冷却した後に金型２０を剥離除去する。
本製造方法は、金型２０を加圧する必要がないため、位置合わせ精度に優れていることが特徴である。適用できる樹脂は、第１の製造方法と同様であるが、液状で粘度が低い樹脂が好ましい。
【産業上の利用可能性】
【００６３】
本発明は、例えば携帯電話やデジタルカメラ、ノートパソコン等、小型で高密度な電子部品を必要とする電子装置に適用することができる。
【符号の説明】
【００６４】
１…半導体装置、２…半導体基板、３…絶縁層、４…電極、５…再配線層、６…パッド、７…はんだバンプ、８…封止樹脂層、１０…半導体ウエハ、２０…金型、５０…ＦＰＣ、５１…接続部。
【図１】
2012119387.tif 000003
【図２】
2012119387.tif 000004
【図３】
2012119387.tif 000005
【図４】
2012119387.tif 000006
【図５】
2012119387.tif 000007
【図６】
2012119387.tif 000008
【図７】
2012119387.tif 000009
【図８】
2012119387.tif 000010
【図９】
2012119387.tif 000011
【図１０】
2012119387.tif 000012